(57)【特許請求の範囲】
【請求項１】
作動油に油圧を発生させるマスターシリンダ（５１ｓ）と、前記マスターシリンダ（５１ｓ）で発生した油圧により作動するスレーブシリンダ（２８）と、の間に設けられ、前記マスターシリンダ（５１ｓ）で発生した油圧の前記スレーブシリンダ（２８）への伝達を制御する油圧バルブユニット（５３）であって、
バルブボディ（５３ａ）と、
前記バルブボディ（５３ａ）内に形成され、前記マスターシリンダ（５１ｓ）側と前記スレーブシリンダ（２８）側とを連通するメイン油路（５４）と、
前記メイン油路（５４）を開通又は遮断するバルブ機構（５６）と、
前記バルブボディ（５３ａ）内に形成され、前記メイン油路（５４）の前記バルブ機構（５６）よりも前記マスターシリンダ（５１ｓ）側の上流側油路（５４ａ）と前記メイン油路（５４）の前記バルブ機構（５６）よりも前記スレーブシリンダ（２８）側の下流側油路（５４ｂ）とを連通するバイパス油路（５５）と、
前記バイパス油路（５５）に設けられ、前記上流側油路（５４ａ）から前記下流側油路（５４ｂ）への方向で前記作動油を流通させるワンウェイバルブ（５５ｖ）と、を備え、
前記メイン油路（５４）と前記バイパス油路（５５）の主部（５５ａ）とが互いに軸線（Ｃ４，Ｃ５）の向きを揃えて配置され、かつ、前記バイパス油路（５５）の前記主部（５５ａ）は、前記バルブボディ（５３ａ）を予め定めた取付位置に取り付けた状態で、前記メイン油路（５４）と同一高さ又は前記メイン油路（５４）よりも高い位置に配置されている、
油圧バルブユニット（５３）。
【請求項２】
前記作動油の油圧を検出する油圧センサ（５７，５８）をさらに備え、
前記油圧センサ（５７，５８）は、前記取付位置に取り付けた状態で、前記メイン油路（５４）及び前記バイパス油路（５５）の前記主部（５５ａ）に対して下方に位置するよう配置されている
請求項１に記載の油圧バルブユニット（５３）。
【請求項３】
前記取付位置に取り付けた状態で、前記バイパス油路（５５）の前記主部（５５ａ）は、前記メイン油路（５４）よりも高い位置に配置され、
前記油圧センサ（５７，５８）は、前記バイパス油路（５５）の前記主部（５５ａ）の下方に位置するよう配置されている
請求項２に記載の油圧バルブユニット（５３）。
【請求項４】
前記バイパス油路（５５）は、前記メイン油路（５４）から前記メイン油路（５４）に交差する方向に延び、前記取付位置に取り付けた状態で前記メイン油路（５４）側から前記バイパス油路（５５）の前記主部（５５ａ）に向かって斜め上方に延びる分岐油路（５５ｊ，５５ｋ）を備えている
請求項１から３のいずれか一項に記載の油圧バルブユニット（５３）。
【請求項５】
前記取付位置に取り付けた状態で、上下方向に軸線（Ｃ３）を有するよう配置されるアキュムレータ（６１）をさらに備えている
請求項１から４のいずれか一項に記載の油圧バルブユニット（５３）。
【請求項６】
前記作動油の油圧を検出する油圧センサ（５７，５８）をさらに備え、前記油圧センサ（５７，５８）と前記アキュムレータ（６１）とが互いに軸線（Ｃ１，Ｃ２，Ｃ３）の向きを揃えて配置されている
請求項５に記載の油圧バルブユニット（５３）。
【請求項７】
前記作動油に含まれるエアを抜くためのブリーダー部材（６０Ａ，６０Ｂ）をさらに備え、
前記ブリーダー部材（６０Ａ，６０Ｂ）は、前記取付位置に取り付けた状態で、前記バイパス油路（５５）の上方に位置するよう配置されている
請求項１から６のいずれか一項に記載の油圧バルブユニット（５３）。
【請求項８】
請求項１から７のいずれか一項に記載の油圧バルブユニット（５３）が前記取付位置に取り付けられている鞍乗り型車両（１）。
【発明の詳細な説明】
【技術分野】
【０００１】
本発明は、油圧バルブユニット、鞍乗り型車両に関する。
本願は、２０１７年５月３１日に出願された日本国特願２０１７−１０８５０８号に基づき優先権を主張し、その内容をここに援用する。
【背景技術】
【０００２】
自動二輪車等に用いられる変速機において、変速機の変速操作を運転者が行い、変速機のクラッチの断接操作は自動的に行う、いわゆるセミオートマチックの変速システムが知られている（例えば特許文献１参照）。特許文献１の変速システムは、作動油に油圧を発生させる油圧発生装置と、油圧発生装置で発生した油圧によりクラッチを断接するスレーブシリンダと、油圧発生装置からスレーブシリンダに伝達する油圧を制御する油圧制御装置と、を備えている。
【先行技術文献】
【特許文献】
【０００３】
【特許文献１】日本国特開２０１１−７５０３０号公報
【発明の概要】
【発明が解決しようとする課題】
【０００４】
ところで、上記従来の技術においては、自動二輪車等の車両の組立時や変速システムのメンテナンスの際に、変速システムの油圧系統に作動油を充填する必要がある。ここで、油圧制御装置（油圧バルブユニット）は、油圧を制御するためのバルブ等を備えており、その内部の油路等の構成が複雑となっている。このため、作動油を充填した後、油路に残存するエアを抜くエア抜き作業に手間がかかる。【０００５】
本発明の態様は、エア抜き作業を容易かつ効率よく行うことのできる油圧バルブユニット、鞍乗り型車両を提供することを目的とする。
【課題を解決するための手段】
【０００６】
（１）本発明の一態様に係る油圧バルブユニットは、作動油に油圧を発生させるマスターシリンダと、前記マスターシリンダで発生した油圧により作動するスレーブシリンダと、の間に設けられ、前記マスターシリンダで発生した油圧の前記スレーブシリンダへの伝達を制御する油圧バルブユニットであって、バルブボディと、前記バルブボディ内に形成され、前記マスターシリンダ側と前記スレーブシリンダ側とを連通するメイン油路と、前記メイン油路を開通又は遮断するバルブ機構と、前記バルブボディ内に形成され、前記メイン油路の前記バルブ機構よりも前記マスターシリンダ側の上流側油路と前記メイン油路の前記バルブ機構よりも前記スレーブシリンダ側の下流側油路とを連通するバイパス油路と、前記バイパス油路に設けられ、前記上流側油路から前記下流側油路への方向で前記作動油を流通させるワンウェイバルブと、を備え、前記メイン油路と前記バイパス油路の主部とが互いに軸線の向きを揃えて配置され、かつ、前記バイパス油路の前記主部は、前記バルブボディを予め定めた取付位置に取り付けた状態で、前記メイン油路と同一高さ又は前記メイン油路よりも高い位置に配置されている油圧バルブユニットを提供する。【０００７】
（２）上記（１）の態様において、前記作動油の油圧を検出する油圧センサをさらに備えてもよく、前記油圧センサは、前記取付位置に取り付けた状態で、前記メイン油路及び前記バイパス油路の前記主部に対して下方に位置するよう配置されてもよい。【０００８】
（３）上記（２）の態様において、前記取付位置に取り付けた状態で、前記バイパス油路の前記主部は、前記メイン油路よりも高い位置に配置され、前記油圧センサは、前記バイパス油路の前記主部の下方に位置するよう配置されてもよい。【０００９】
（４）上記（１）から（３）のいずれか一項の態様において、前記バイパス油路は、前記メイン油路から前記メイン油路に交差する方向に延び、前記取付位置に取り付けた状態で前記メイン油路側から前記バイパス油路の前記主部に向かって斜め上方に延びる分岐油路を備えてもよい。【００１０】
（５）上記（１）から（４）のいずれか一項の態様において、前記取付位置に取り付けた状態で、上下方向に軸線を有するよう配置されるアキュムレータをさらに備えてもよい。【００１１】
（６）上記（５）の態様において、前記作動油の油圧を検出する油圧センサをさらに備えてもよく、前記油圧センサと前記アキュムレータとが互いに軸線の向きを揃えて配置されてもよい。【００１２】
（７）上記（１）から（６）のいずれか一項の態様において、前記作動油に含まれるエアを抜くためのブリーダー部材をさらに備えてもよく、前記ブリーダー部材は、前記取付位置に取り付けた状態で、前記バイパス油路の上方に位置するよう配置されてもよい。【００１３】
（８）本発明の一態様に係る鞍乗り型車両は、上記（１）から（７）のいずれか一項の態様の油圧バルブユニット（５３）が前記取付位置に取り付けられている。
【発明の効果】
【００１４】
上記（１）の態様によれば、メイン油路とバイパス油路の主部とを、互いに軸線を揃えて配置したことにより、油圧バルブユニットを小型化するとともに、作動油に混入したエアを、メイン油路およびバイパス油路の軸方向の一端側から容易かつ効率よく抜くことができる。また、バイパス油路の主部をメイン油路と同一高さ又はメイン油路よりも高い位置に配置したことにより、バイパス油路のエアを抜きやすくすることができる。【００１５】
上記（２）の態様によれば、油圧センサをメイン油路及びバイパス油路の主部に対して下方に設けることにより、油圧センサからエアを上方のメイン油路やバイパス油路に抜くことができ、エア抜き作業を容易に行うことができる。【００１６】
上記（３）の態様によれば、メイン油路よりも高い位置に配置したバイパス油路の主部の下方に油圧センサを設けることにより、油圧センサが下方に突出する寸法を抑えることができ、油圧バルブユニットを小型化することができる。【００１７】
上記（４）の態様によれば、バイパス油路の分岐油路がメイン油路側からバイパス油路の主部に向かって斜め上方に延びているので、分岐油路において、エアをメイン油路側からバイパス油路の主部側に向かって抜くことができ、エア抜き作業を容易に行うことができる。また、バイパス油路の主部の下方に油圧センサの配置スペースを確保しやすくすることができる。【００１８】
上記（５）の態様によれば、アキュムレータを上下方向に軸線を有するように配置することにより、アキュムレータからエアを容易に抜くことができる。【００１９】
上記（６）の態様によれば、油圧センサおよびアキュムレータの軸線を揃えることで、油圧バルブユニットの小型化を図ることができる。【００２０】
上記（７）の態様によれば、メイン油路と同一高さ又はメイン油路よりも高い位置に配置されたバイパス油路、すなわち油圧バルブユニットにおいて最も高い位置に配置されたバイパス油路の上方にブリーダー部材を設けることにより、ブリーダー部材からエアを容易に抜くことができる。【００２１】
上記（８）の態様によれば、油圧バルブユニットにおけるエア抜き作業を容易に行うことができるので、鞍乗り型車両の組立性、メンテナンス性を向上させることができる。
【図面の簡単な説明】
【００２２】
【図１】本発明の実施形態における自動二輪車の左側面図である。
【図２】上記自動二輪車の変速機およびチェンジ機構の断面図である。
【図３】クラッチアクチュエータを含むクラッチ作動システムの概略説明図である。
【図４】変速システムのブロック図である。
【図５】クラッチアクチュエータの供給油圧の変化を示すグラフである。
【図６】クラッチアクチュエータの油圧バルブユニットの平面図である。
【図７】油圧バルブユニットの一部断面を含む平面図である。
【図８】図６のＶＩＩＩ−ＶＩＩＩ断面図である。
【図９】図６のＩＸ−ＩＸ断面図である。
【図１０】図６のＸ−Ｘ断面図である。
【図１１】図６のＸＩ−ＸＩ断面図である。
【発明を実施するための形態】
【００２３】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。
【００２４】
図１に示すように、本実施形態は、鞍乗り型車両である自動二輪車１に適用されている。自動二輪車１の前輪２は、左右一対のフロントフォーク３の下端部に支持されている。
左右フロントフォーク３の上部は、ステアリングステム４を介して、車体フレーム５の前端部のヘッドパイプ６に支持されている。ステアリングステム４のトップブリッジ上には、バータイプの操向ハンドル４ａが取り付けられている。
【００２５】
車体フレーム５は、ヘッドパイプ６と、ヘッドパイプ６の上部から車幅方向（左右方向）中央を下後方へ延びるメインチューブ７と、メインチューブ７の後端部の下方に連なる左右ピボットフレーム８と、ヘッドパイプ６の下部からメインチューブ７よりも急角度で下後方に延びる左右ダウンチューブ１０と、メインチューブ７および左右ピボットフレーム８の後方に連なるシートフレーム９と、を備えている。左右ピボットフレーム８には、スイングアーム１１の前端部が揺動可能に枢支されている。スイングアーム１１の後端部には、自動二輪車１の後輪１２が支持されている。
【００２６】
左右メインチューブ７の上方には、燃料タンク１８が支持されている。燃料タンク１８の後方でシートフレーム９の上方には、シート１９が支持されている。
左右メインチューブ７の下方には、自動二輪車１の原動機であるパワーユニットＰＵが懸架されている。パワーユニットＰＵは、後輪１２と例えばチェーン式伝動機構を介して連係されている。
【００２７】
パワーユニットＰＵは、その前側に位置するエンジン１３と後側に位置する変速機２１とを一体に有している。エンジン１３は、例えばクランクシャフト１４の回転軸を左右方向（車幅方向）に沿わせた複数気筒エンジンである。エンジン１３は、クランクケース１５の前部上方にシリンダ１６を起立させている。クランクケース１５の後部は、変速機２１を収容する変速機ケース１７とされている。
【００２８】
図２に示すように、変速機２１は、メインシャフト２２およびカウンタシャフト２３ならびに両シャフト２２，２３に跨る変速ギヤ群２４を有する有段式のトランスミッションである。カウンタシャフト２３は変速機２１ひいてはパワーユニットＰＵの出力軸を構成している。カウンタシャフト２３の端部はクランクケース１５の後部左側に突出し、前記チェーン式伝動機構を介して後輪１２に連結されている。
【００２９】
図３を併せて参照し、変速機２１のメインシャフト２２及びカウンタシャフト２３は、クランクシャフト１４の後方で前後に並んで配置されている。メインシャフト２２の右端部には、クラッチアクチュエータ５０により作動するクラッチ２６が同軸配置されている。クラッチ２６は、例えば湿式多板クラッチであり、いわゆるノーマルオープンクラッチである。すなわち、クラッチ２６は、クラッチアクチュエータ５０からの油圧供給によって動力伝達可能な接続状態となり、クラッチアクチュエータ５０からの油圧供給がなくなると動力伝達不能な切断状態に戻る。
【００３０】
図２を参照し、クランクシャフト１４の回転動力は、クラッチ２６を介してメインシャフト２２に伝達され、メインシャフト２２から変速ギヤ群２４の任意のギヤ対を介してカウンタシャフト２３に伝達される。カウンタシャフト２３におけるクランクケース１５の後部左側に突出した左端部には、前記チェーン式伝動機構のドライブスプロケット２７が取り付けられている。
【００３１】
変速機２１の後上方には、変速ギヤ群２４のギヤ対を切り替えるチェンジ機構２５が収容されている。チェンジ機構２５は、両シャフト２２，２３と平行な中空円筒状のシフトドラム３６の回動により、その外周に形成されたリード溝のパターンに応じて複数のシフトフォーク３７を作動させ、変速ギヤ群２４における両シャフト２２，２３間の動力伝達に用いるギヤ対を切り替える。
【００３２】
チェンジ機構２５は、シフトドラム３６と平行なシフトスピンドル３１を有している。
シフトスピンドル３１の回動時には、シフトスピンドル３１に固定されたシフトアーム３１ａがシフトドラム３６を回動させ、リード溝のパターンに応じてシフトフォーク３７を軸方向移動させて、変速ギヤ群２４の内の動力伝達可能なギヤ対を切り替える（すなわち、変速段を切り替える。）。
【００３３】
シフトスピンドル３１は、チェンジ機構２５を操作可能とするべくクランクケース１５の車幅方向外側（左方）に軸外側部３１ｂを突出させている。シフトスピンドル３１の軸外側部３１ｂには、シフト荷重センサ４２（図４参照）が同軸に取り付けられている。シフトスピンドル３１の軸外側部３１ｂ（またはシフト荷重センサ４２の回動軸）には、不図示のリンクロッドを介して、運転者が足操作するシフトペダル３２が連結されている。
【００３４】
図１に示すように、シフトペダル３２は、その前端部がクランクケース１５の下部に左右方向に沿う軸を介して上下揺動可能に支持されている。シフトペダル３２には、ステップ３２ａに載せた運転者の足先を掛けるペダル部が設けられている。
【００３５】
図２に示すように、シフトペダル３２、およびチェンジ機構２５を含んで、変速機２１の変速段ギヤの切り替えを行うシフトチェンジ装置３５が構成されている。シフトチェンジ装置３５において、変速機ケース１７内で変速機２１の変速段を切り替える集合体（シフトドラム３６、シフトフォーク３７等）を変速作動部３５ａ、シフトペダル３２への変速動作が入力されてシフトスピンドル３１の軸回りに回動し、この回動を前記変速作動部３５ａに伝達する集合体（シフトスピンドル３１、シフトアーム３１ａ等）を変速操作受け部３５ｂ、という。
【００３６】
ここで、自動二輪車１は、変速機２１の変速操作（シフトペダル３２の足操作）を運転者が行い、クラッチ２６の断接操作はシフトペダル３２の操作に応じて電気制御により自動で行うようにした、いわゆるセミオートマチックの変速システムを採用している。
【００３７】
図４に示すように、上記変速システムは、クラッチアクチュエータ５０、ＥＣＵ６０（Electronic Control Unit、制御部）および各種センサ４１〜４５を備えている。
ＥＣＵ６０は、シフトドラム３６の回動角から変速段位を検知するドラム角度センサ（ギヤポジションセンサ）４１、およびシフトスピンドル３１に入力された操作トルクを検知するシフト荷重センサ（トルクセンサ）４２からの検知情報、ならびにスロットル開度センサ４３、車速センサ４４およびエンジン回転数センサ４５等からの各種の車両状態検知情報等に基づいて、クラッチアクチュエータ５０を作動制御するとともに、点火装置４６および燃料噴射装置４７を作動制御する。ＥＣＵ６０には、クラッチアクチュエータ５０の油圧センサ５７，５８からの検知情報も入力される。
【００３８】
図３を併せて参照し、クラッチアクチュエータ５０は、ＥＣＵ６０により作動制御されることで、クラッチ２６を断接する液圧を制御可能とする。クラッチアクチュエータ５０は、油圧アクチュエータ５１と、油圧バルブユニット５３と、を備えている。
油圧アクチュエータ５１は、駆動源としての電気モータ５２（以下、単にモータ５２という。）と、モータ５２により駆動されるマスターシリンダ５１ｓと、を備えている。
【００３９】
マスターシリンダ５１ｓは、シリンダ本体５１ａ内のピストン５１ｂをモータ５２の駆動によりストロークさせて、シリンダ本体５１ａ内の作動油をスレーブシリンダ２８に対して給排可能とする。図中符号５１ｅはマスターシリンダ５１ｓに接続されるリザーバタンクを示す。
モータ５２は、その駆動軸５２ａに、伝達ギヤ５２ｂ、変換機構５２ｃを介してマスターシリンダ５１ｓのピストン５１ｂが連結されている。変換機構５２ｃは、駆動軸５２ａ及び伝達ギヤ５２ｂの回転運動をピストン５１ｂのストローク運動に変換するもので、例えばボールネジ機構が用いられている。
【００４０】
油圧バルブユニット５３は、マスターシリンダ５１ｓとスレーブシリンダ２８との間に設けられている。油圧バルブユニット５３は、メイン油路５４と、バルブ機構（ソレノイドバルブ５６）と、バイパス油路５５と、ワンウェイバルブ５５ｖと、油圧センサ５７，５８と、を備えている。
メイン油路５４は、マスターシリンダ５１ｓ側とスレーブシリンダ２８側とを連通するよう形成されている。ソレノイドバルブ５６は、メイン油路５４を開通又は遮断する。ソレノイドバルブ５６は、いわゆるノーマルオープンバルブである。
【００４１】
バイパス油路５５は、ソレノイドバルブ５６を迂回してメイン油路５４の上流側油路５４ａと下流側油路５４ｂとを連通する。ワンウェイバルブ５５ｖは、バイパス油路５５に設けられ、上流側油路５４ａから下流側油路５４ｂへの方向で作動油を流通させ、逆方向の作動油の流通は規制する。
油圧センサ５７，５８は、ソレノイドバルブ５６を挟んでマスターシリンダ５１ｓ側およびスレーブシリンダ２８側の作動油の油圧をそれぞれ検出する。
【００４２】
図２に示すように、スレーブシリンダ２８は、メインシャフト２２の左方に同軸配置されている。スレーブシリンダ２８は、クラッチアクチュエータ５０からの油圧供給時には、メインシャフト２２内を貫通するプッシュロッド２８ａを右方へ押圧する。スレーブシリンダ２８は、プッシュロッド２８ａを右方へ押圧することで、該プッシュロッド２８ａを介してクラッチ２６を接続状態へ作動させる。スレーブシリンダ２８は、前記油圧供給が無くなると、プッシュロッド２８ａの押圧を解除し、クラッチ２６を切断状態に戻す。
【００４３】
クラッチ２６を接続状態に維持するには油圧供給を継続する必要があるが、その分だけ電力を消費することとなる。そこで、図３に示すように、クラッチアクチュエータ５０の油圧バルブユニット５３にソレノイドバルブ５６を設け、クラッチ２６側への油圧供給後にソレノイドバルブ５６を閉じている。これにより、クラッチ２６側への供給油圧を維持し、圧力低下分だけ油圧を補う（リーク分だけリチャージする）構成として、エネルギー消費を抑えている。
【００４４】
次に、クラッチ制御系の作用について図５のグラフを参照して説明する。図５のグラフにおいて、縦軸は下流側油圧センサ５８が検出する供給油圧、横軸は経過時間をそれぞれ示している。
自動二輪車１の停車時（アイドリング時）、ＥＣＵ６０で制御されるモータ５２およびソレノイドバルブ５６は、ともに電力供給が遮断された状態にある。すなわち、モータ５２は停止状態にあり、ソレノイドバルブ５６は開弁状態にある。このとき、スレーブシリンダ２８側（下流側）はタッチポイント油圧ＴＰより低い低圧状態となり、クラッチ２６は非締結状態（切断状態、解放状態）となる。この状態は、図５の領域Ａに相当する。
【００４５】
自動二輪車１の発進時、エンジン１３の回転数を上昇させると、モータ５２に電力供給がなされ、マスターシリンダ５１ｓから開弁状態のソレノイドバルブ５６を経てスレーブシリンダ２８へ油圧が供給される。スレーブシリンダ２８側（下流側）の油圧がタッチポイント油圧ＴＰ以上に上昇すると、クラッチ２６の締結が開始され、クラッチ２６が一部の動力を伝達可能な半クラッチ状態となる。これにより、自動二輪車１の滑らかな発進が可能となる。この状態は、図５の領域Ｂに相当する。
やがて、スレーブシリンダ２８側（下流側）の油圧が下限保持油圧ＬＰに達すると、クラッチ２６の締結が完了し、エンジン１３の駆動力が全て変速機２１に伝達される。この状態は、図５の領域Ｃに相当する。
【００４６】
そして、スレーブシリンダ２８側（下流側）の油圧が上限保持油圧ＨＰに達すると、ソレノイドバルブ５６に電力供給がなされて該ソレノイドバルブ５６が閉弁作動するとともに、モータ５２への電力供給が停止されて油圧の発生が停止される。すなわち、上流側は油圧が解放して低圧状態となる一方、下流側が高圧状態（上限保持油圧ＨＰ）に維持される。これにより、マスターシリンダ５１ｓが油圧を発生することなくクラッチ２６が締結状態に維持され、自動二輪車１の走行を可能とした上で電力消費を抑えることができる。
【００４７】
ソレノイドバルブ５６を閉弁した状態でも、ソレノイドバルブ５６およびワンウェイバルブ５５ｖのシールの変形等による油圧漏れや温度低下といった要因により、図５の領域Ｄのように、下流側の油圧は徐々に低下（リーク）する。一方、図５の領域Ｅのように、温度上昇等により下流側の油圧が上昇する場合もある。下流側の細かな油圧変動であれば、アキュムレータ６１により吸収可能であり、油圧変動の度にモータ５２およびソレノイドバルブ５６を作動させて電力消費を増やすことはない。
図５の領域Ｅのように、下流側の油圧が上限保持油圧ＨＰまで上昇した場合、ソレノイドバルブ５６への電力供給を低下させる等により、ソレノイドバルブ５６を段階的に開弁状態として、下流側の油圧を上流側へリリーフする。
【００４８】
図５の領域Ｆのように、下流側の油圧が下限保持油圧ＬＰまで低下した場合、ソレノイドバルブ５６は閉弁したままでモータ５２への電力供給を開始し、上流側の油圧を上昇させる。上流側の油圧が下流側の油圧を上回ると、この油圧がバイパス油路５５およびワンウェイバルブ５５ｖを介して下流側に補給（リチャージ）される。下流側の油圧が上限保持油圧ＨＰになると、モータ５２への電力供給を停止して油圧の発生を停止する。これにより、下流側の油圧は上限保持油圧ＨＰと下限保持油圧ＬＰとの間に維持され、クラッチ２６が締結状態に維持される。
【００４９】
自動二輪車１の停止時には、モータ５２およびソレノイドバルブ５６への電力供給をともに停止する。これにより、マスターシリンダ５１ｓは油圧発生を停止し、スレーブシリンダ２８への油圧供給を停止する。ソレノイドバルブ５６は開弁状態となり、下流側油路５４ｂ内の油圧がリザーバタンク５１ｅに戻される。以上により、スレーブシリンダ２８側（下流側）はタッチポイント油圧ＴＰより低い低圧状態となり、クラッチ２６が非締結状態となる。この状態は、図５の領域Ｇ，Ｈに相当する。
【００５０】
次に、油圧バルブユニット５３の具体的な構成について説明する。
図６〜図１１に示すように、油圧バルブユニット５３は、バルブボディ５３ａを備えている。バルブボディ５３ａは、油圧バルブユニット５３の筐体をなし、その内部にメイン油路５４およびバイパス油路５５が形成されている。
【００５１】
図６、図７は、油圧バルブユニット５３を、自動二輪車１の車体における予め定めた取付位置に取り付けた状態で上面視した平面図である。油圧バルブユニット５３は、例えばエンジン１３のシリンダ１６の後方、かつ変速機２１の上方に配置されている（図１参照）。油圧バルブユニット５３は、メイン油路５４およびバイパス油路５５を左右方向に沿わせ、かつ油圧センサ５７，５８並びにアキュムレータ６１の軸線Ｃ１，Ｃ２，Ｃ３をシリンダ１６の傾斜に沿わせるように配置されている。図６、図７では、油圧センサ５７，５８並びにアキュムレータ６１の軸線Ｃ１，Ｃ２，Ｃ３に沿う上面視を示している。油圧アクチュエータ５１は、ヘッドパイプ６の後方に配置されている。
【００５２】
図７、図８に示すように、油圧バルブユニット５３を車体の所定の取付位置に取り付けた状態において、メイン油路５４は、その主部５４ｍが、略水平方向に延びるよう直線状に形成されている。図中符号Ｃ４は主部５４ｍの延び方向に沿う中心軸線を示す。メイン油路５４の主部５４ｍの両端部には、上方に立ち上がる立ち上がり流路５４ｖ，５４ｗが形成されている。立ち上がり流路５４ｖ，５４ｗには、バンジョー部材６２Ａ，６２Ｂが接続されている。
【００５３】
図３を併せて参照し、バンジョー部材６２Ａ，６２Ｂには、マスターシリンダ５１ｓおよびスレーブシリンダ２８に一端が接続されるマスター側接続配管７１およびスレーブ側接続配管７２の他端がそれぞれ接続されている。マスター側接続配管７１は、油圧バルブユニット５３と油圧アクチュエータ５１のマスターシリンダ５１ｓとを接続している。スレーブ側接続配管７２は、油圧バルブユニット５３とスレーブシリンダ２８とを接続している。
【００５４】
ソレノイドバルブ５６は、メイン油路５４の主部５４ｍにおいて、立ち上がり流路５４ｗ側の端部に設けられている。
メイン油路５４は、主部５４ｍ及び立ち上がり流路５４ｖが、ソレノイドバルブ５６よりもマスターシリンダ５１ｓ側の上流側油路５４ａとされ、立ち上がり流路５４ｗが、ソレノイドバルブ５６よりもスレーブシリンダ２８側の下流側油路５４ｂとされている。
また、メイン油路５４は、立ち上がり流路５４ｖ，５４ｗをなるべく短くし、バンジョー部材６２Ａからメイン油路５４を経てバンジョー部材６２Ｂへと至る油路の長さをなるべく短くしている。これにより、油圧を迅速に伝達し、クラッチ２６をレスポンス良く操作することができる。
【００５５】
図７に示すように、バイパス油路５５は、主部５５ａと、分岐油路５５ｊ，５５ｋと、を有している。バイパス油路５５の主部５５ａは、メイン油路５４の主部５４ｍと平行をなし、略水平方向に延びるよう直線状に形成されている。図中符号Ｃ５は主部５５ａの延び方向に沿う中心軸線を示す。バイパス油路５５の主部５５ａは、バルブボディ５３ａを車体の所定の取付位置に取り付けた状態で上面視すると、メイン油路５４と並列に配置されている。さらに、図９、図１０に示すように、バイパス油路５５の主部５５ａは、メイン油路５４よりも高い位置に配置されている。
分岐油路５５ｊ，５５ｋは、バイパス油路５５の主部５５ａの両端部と、メイン油路５４の主部５４ｍと、を接続するように形成されている。分岐油路５５ｊ，５５ｋは、メイン油路５４の主部５４ｍから、それぞれメイン油路５４に交差する方向に延びている。
【００５６】
図９、図１０を併せて参照し、分岐油路５５ｊ，５５ｋは、バルブボディ５３ａを車体の所定の取付位置に取り付けた状態で、メイン油路５４の主部５４ｍ側からバイパス油路５５の主部５５ａに向かって斜め上方に延びるよう形成されている。分岐油路５５ｊ，５５ｋのバルブボディ５３ａ外側における斜め下方への開放部分はスチールボールの圧入により閉塞されている。
バイパス油路５５の主部５５ａの下方には、油圧センサ５７，５８が上下方向に延びて配置され、油圧センサ５７，５８の上端部が主部５５ａに接続されている。バイパス油路５５の主部５５ａはメイン油路５４よりも高い位置に配置され、このバイパス油路５５の主部５５ａに向かって分岐油路５５ｊ，５５ｋが斜め上方に延びている。このため、バイパス油路５５の主部５５ａの下方に油圧センサ５７，５８の配置スペースを確保しやすく、油圧バルブユニット５３の小型化に寄与している。
【００５７】
図１１に示すように、油圧センサ５７，５８は、バイパス油路５５に設けられ、ワンウェイバルブ５５ｖの上流側と下流側とに配置されている。これにより、油圧センサ５７，５８は、マスターシリンダ５１ｓ側、スレーブシリンダ２８側の作動油の油圧を検出する。
図８を併せて参照し、油圧センサ５７，５８は、バルブボディ５３ａを車体の所定の取付位置に取り付けた状態で、メイン油路５４及びバイパス油路５５の主部５５ａに対して下方に位置するよう設けられている。さらに、油圧センサ５７，５８は、メイン油路５４よりも高い位置に配置されたバイパス油路５５の主部５５ａの下方に位置するよう配置されている。油圧センサ５７，５８は、その中心軸線Ｃ１，Ｃ２を、上下方向に向けて配置されている。バイパス油路５５の主部５５ａのバルブボディ５３ａ外側における図１１中右方への開放部分はスチールボールの圧入により閉塞されている。ワンウェイバルブ５５ｖは主部５５ａの開放部分の閉塞前に該開放部分から挿入されている。
【００５８】
油圧バルブユニット５３は、アキュムレータ６１と、ブリーダー部材６０Ａ，６０Ｂと、をさらに備えている。
図８に示すように、アキュムレータ６１は、メイン油路５４の主部５４ｍと立ち上がり流路５４ｖとの合流部に接続されている。アキュムレータ６１は、ピストン６１ａと、ピストン６１ａをメイン油路５４側に向かって付勢するコイルバネ６１ｂと、ピストン６１ａ側とメイン油路５４とを隔てるダイアフラム６１ｃと、を有している。アキュムレータ６１は、メイン油路５４の油圧が上昇すると、ダイアフラム６１ｃが押圧される。これにより、ダイアフラム６１ｃを介してピストン６１ａがコイルバネ６１ｂの弾性力に抗して押し込まれ、アキュムレータ６１が油圧を蓄圧する。アキュムレータ６１は、メイン油路５４の油圧が低下すると、ピストン６１ａがコイルバネ６１ｂの弾性力によってメイン油路５４側に移動し、メイン油路５４に作動油を戻して油圧を上昇させ油圧の変動を吸収する。
このようなアキュムレータ６１は、油圧センサ５７，５８と平行に、上下方向に中心軸線Ｃ３を有するよう配置されている。
【００５９】
図１１に示すように、ブリーダー部材６０Ａ，６０Ｂは、作動油に含まれるエアを抜くエア抜き作業を行う際に用いられる。ブリーダー部材６０Ａ，６０Ｂは、バルブボディ５３ａを車体の所定の取付位置に取り付けた状態で、メイン油路５４よりも高い位置に配置されたバイパス油路５５の上方に位置するよう配置されている。ここで、ブリーダー部材６０Ａは、ワンウェイバルブ５５ｖの上方に配置されている。
【００６０】
以上説明したように、本実施形態の油圧バルブユニット５３は、バルブボディ５３ａと、バルブボディ５３ａ内に形成され、マスターシリンダ５１ｓ側とスレーブシリンダ２８側とを連通するメイン油路５４と、メイン油路５４の中間部位を開通又は遮断するソレノイドバルブ５６と、バルブボディ５３ａ内に形成され、メイン油路５４のソレノイドバルブ５６よりもマスターシリンダ５１ｓ側の上流側油路５４ａとメイン油路５４のソレノイドバルブ５６よりもスレーブシリンダ２８側の下流側油路５４ｂとを連通するバイパス油路５５と、バイパス油路５５に設けられ、上流側油路５４ａから下流側油路５４ｂへの方向で作動油を流通させるワンウェイバルブ５５ｖと、を備え、バルブボディ５３ａを予め定めた取付位置に取り付けた状態で上面視すると、メイン油路５４とバイパス油路５５の主部５５ａとが並列に配置され、かつ、バイパス油路５５の主部５５ａは、メイン油路５４よりも高い位置に配置されている。
【００６１】
このようにして、メイン油路５４とバイパス油路５５の主部５５ａとを、上面視した状態で並列に配置したことにより、メイン油路５４とバイパス油路５５の主部５５ａとを上下方向に並列に配置した場合に比較し、作動油に混入したエアを容易に抜くことができる。また、メイン油路５４とバイパス油路５５の主部５５ａとを近づけて配置することにより、油圧バルブユニット５３を、厚みの薄いコンパクトな形状とすることができる。
そして、メイン油路５４とバイパス油路５５の主部５５ａとを、互いに軸線Ｃ４，Ｃ５を揃えて配置したことにより、油圧バルブユニット５３を小型化するとともに、作動油に混入したエアを、メイン油路５４およびバイパス油路５５の軸方向の一端側から容易かつ効率よく抜くことができる。また、バイパス油路５５の主部５５ａをメイン油路５４と同一高さ又はメイン油路５４よりも高い位置に配置したことにより、バイパス油路５５のエアを抜きやすくすることができる。
【００６２】
また、上記油圧バルブユニット５３は、作動油の油圧を検出する油圧センサ５７，５８をさらに備え、油圧センサ５７，５８は、取付位置に取り付けた状態で、メイン油路５４及びバイパス油路５５の主部５５ａに対して下方に位置するよう配置されている。これにより、油圧センサ５７，５８をメイン油路５４及びバイパス油路５５の主部５５ａに対して下方に設けることにより、油圧センサ５７，５８からエアを上方に抜くことができ、エア抜き作業を容易に行うことができる。
【００６３】
さらに、上記油圧バルブユニット５３は、取付位置に取り付けた状態で、バイパス油路５５の主部５５ａは、メイン油路５４よりも高い位置に配置され、油圧センサ５７，５８は、バイパス油路５５の主部５５ａの下方に位置するよう配置されている。これにより、メイン油路５４よりも高い位置に配置したバイパス油路５５の主部５５ａの下方に油圧センサ５７，５８を設けることにより、油圧センサ５７，５８が下方に突出する寸法を抑えることができ、油圧バルブユニット５３を小型化することができる。
【００６４】
加えて、上記油圧バルブユニット５３においてバイパス油路５５は、メイン油路５４からメイン油路５４に交差する方向に延び、取付位置に取り付けた状態でメイン油路５４側からバイパス油路５５の主部５５ａに向かって斜め上方に延びる分岐油路５５ｊ，５５ｋを備えている。これにより、バイパス油路５５の分岐油路５５ｊ，５５ｋがメイン油路５４側からバイパス油路５５の主部５５ａに向かって斜め上方に延びているので、分岐油路５５ｊ，５５ｋにおいて、エアをバイパス油路５５の主部５５ａ側に向かって抜くことができ、エア抜き作業を容易に行うことができる。また、バイパス油路５５の主部５５ａの下方に油圧センサ５７，５８の配置スペースを確保しやすくすることができる。
【００６５】
また、上記油圧バルブユニット５３は、取付位置に取り付けた状態で、上下方向に軸線Ｃ３を有するよう配置されるアキュムレータ６１をさらに備えている。アキュムレータ６１を上下方向に軸線Ｃ３を有するように配置することにより、アキュムレータ６１からエアを容易に抜くことができる。
また、油圧センサ５７，５８とアキュムレータ６１とが互いに軸線Ｃ１，Ｃ２，Ｃ３を揃えて配置されているので、この点でも油圧バルブユニット５３の小型化を図ることができる。
【００６６】
さらに、上記油圧バルブユニット５３は、作動油に含まれるエアを抜くためのブリーダー部材６０Ａ，６０Ｂをさらに備え、ブリーダー部材６０Ａ，６０Ｂは、取付位置に取り付けた状態で、バイパス油路５５の上方に位置するよう配置されている。これにより、メイン油路５４と同一高さ又はメイン油路５４よりも高い位置に配置されたバイパス油路５５の上方にブリーダー部材６０Ａ，６０Ｂを設けることにより、ブリーダー部材６０Ａ，６０Ｂからエアを容易に抜くことができる。
【００６７】
加えて、上記自動二輪車１は、上記したような油圧バルブユニット５３が、所定の取付位置に取り付けられている。これにより、油圧バルブユニット５３におけるエア抜き作業を容易に行うことができるので、自動二輪車１の組立性、メンテナンス性を向上させることができる。
【００６８】
加えて、上記自動二輪車１は、油圧バルブユニット５３の取付位置が、エンジン１３の後方かつ変速機２１の周辺部とされている。これにより、油圧バルブユニット５３を、エンジン１３の後方かつ変速機２１の周辺部に設けることにより、自動二輪車１の車体スペースの有効利用を図り、油圧バルブユニット５３によって収納スペースが少なくなったり、車体が大型化するのを抑えることができる。
【００６９】
なお、本発明は、図面を参照して説明した上述の各実施形態に限定されるものではなく、その技術的範囲において様々な変形例が考えられる。
例えば、油圧バルブユニット５３の取付位置は、上記実施形態で例示したものに限らず、適宜他の場所に取り付けることも可能である。
【００７０】
また、前記鞍乗り型車両には、運転者が車体を跨いで乗車する車両全般が含まれ、自動二輪車（原動機付自転車及びスクータ型車両を含む）のみならず、三輪（前一輪かつ後二輪の他に、前二輪かつ後一輪の車両も含む）又は四輪の車両も含まれ、かつ電気モータを原動機に含む車両も含まれる。
そして、上記実施形態における構成は本発明の一例であり、当該発明の要旨を逸脱しない範囲で種々の変更が可能である。
【符号の説明】
【００７１】
１  自動二輪車（鞍乗り型車両）
１３  エンジン
１６  シリンダ
２１  変速機
２８  スレーブシリンダ
５０  クラッチアクチュエータ
５１  油圧アクチュエータ
５１ｓ  マスターシリンダ
５３  油圧バルブユニット
５３ａ  バルブボディ
５４  メイン油路
５４ａ  上流側油路
５４ｂ  下流側油路
５５  バイパス油路
５５ｊ  分岐油路
５５ｋ  分岐油路
５５ａ  主部
５５ｖ  ワンウェイバルブ
５６  ソレノイドバルブ（バルブ機構）
５７  上流側油圧センサ
５８  下流側油圧センサ
６０Ａ，６０Ｂ  ブリーダー部材
６１  アキュムレータ
Ｃ１〜Ｃ５  軸線
【図１】
0006703644.tif 000002
【図２】
0006703644.tif 000003
【図３】
0006703644.tif 000004
【図４】
0006703644.tif 000005
【図５】
0006703644.tif 000006
【図６】
0006703644.tif 000007
【図７】
0006703644.tif 000008
【図８】
0006703644.tif 000009
【図９】
0006703644.tif 000010
【図１０】
0006703644.tif 000011
【図１１】
0006703644.tif 000012